(57)【要約】    【課題】  インクジェット印刷によって絵画や地図等の複製を作製するに際し、鮮明な図柄が得られると共に貼り付けた台紙に良好に同化し、また、複数の図柄を組み合わせて台紙に貼り付けても出来上がった図柄がずれることのないインクジェット印刷用紙及びそれを用いた複製の作製方法を提供することを課題とする。    【解決手段】  インクジェット印刷用紙１を、被印刷材１１と裏打材１２とをでんぷん糊でなる接着層１３を介して接合した構成とする。その場合、被印刷材１１は比較的厚みの薄い楮製の和紙１１ａを有し、その表面にインクジェット印刷用定着剤１１ｂを塗布している。そして、裏打材１２は被印刷材１１側にアルミニウム箔１２ａを配し、普通紙１２ｂを積層して補強している。【選択図】    図１
2006026971.tif 000002
【特許請求の範囲】
【請求項１】
インクジェット印刷によって印刷された状態で台紙に貼り付けられて用いられるインクジェット印刷用紙であって、和紙または絵絹でなる被印刷材と裏打材とが水溶性接着剤を介して接合されていることを特徴とするインクジェット印刷用紙。
【請求項２】
被印刷材の表面に、インクジェット印刷用定着剤が塗布されていることを特徴とする請求項１に記載のインクジェット印刷用紙。
【請求項３】
裏打材は、アルミニウム箔を有していることを特徴とする請求項１または請求項２に記載のインクジェット印刷用紙。
【請求項４】
請求項１から請求項３のいずれかに記載のインクジェット印刷用紙を用いた複製の作製方法であって、上記用紙の被印刷材にインクジェット印刷によって図柄を印刷したのち、印刷された被印刷材側から水分を付与して水溶性接着剤を溶解することによって裏打材から該被印刷材を剥離し、剥離した該被印刷材を台紙に貼り付けることを特徴とする複製の作製方法。
【請求項５】
印刷された被印刷材の表面に、耐水性コーティングを施すことを特徴とする請求項４に記載の複製の作製方法。
【請求項６】
印刷された被印刷材の表面に、紫外線遮蔽コーティングを施すことを特徴とする請求項４または請求項５に記載の複製の作製方法。
【発明の詳細な説明】
【技術分野】
【０００１】
本発明は、絵画や地図等の複製を作製するためのインクジェット印刷用紙及びそれを用いた複製の作製方法に関し、印刷の技術分野に属する。
【背景技術】
【０００２】
従来、美術館や博物館では、特に貴重な文化財の古い絵画や地図等に対し、現物とは別に展示目的等のために現物を精巧に模した複製を作製することがある。その場合、このような文化財に対するものではないが、絵画の複製を作製する方法としては例えば特許文献１に開示されているものがある。すなわち、この方法は、絵画の現物を画像データとしたのち、キャンバス状の外観に加工された合成樹脂製フィルムでなる用紙に、上記画像をインクジェット印刷するもので、これにより、現物に似せた質感溢れる複製が得られるようになっている。
【０００３】
また、特許文献２には、写真映像を手漉き和紙でなる用紙にインクジェット印刷し、この印刷された用紙で直接掛け軸を作製する方法が開示されており、これにより、印刷後の用紙におけるインクの滲みが独特の風合いをかもし出すようになっている。
【０００４】
一方、和紙に描かれた古い地図や絵画等の場合、図５に示すように、例えば和紙Ｘ１にインクジェット印刷によって所定の図柄Ｘ１′を印刷し、これを現物同様に古めかしい外観に調製された台紙Ｘ２に貼り付けて複製Ｘを作製することがある。
【０００５】
【特許文献１】特開２００１−２９３９４５号公報
【特許文献２】特開２００４−１４７７６９号公報
【発明の開示】
【発明が解決しようとする課題】
【０００６】
ところで、前述したような印刷された和紙Ｘ１を台紙Ｘ２に貼り付けたとき、しみや汚れ等を有した台紙Ｘ２の折角の古めかしさが和紙Ｘ１によって覆い隠されると共に、矢印ｙで示す和紙Ｘ１と台紙Ｘ２との境界が顕在化して、違和感を与えることがある。この問題を解消するには、例えば和紙をできるだけ薄いものとして外観的に台紙Ｘ２に同化させることが望ましいが、このような薄い和紙にインクジェット印刷すると、インクが滲んで図柄が不鮮明になるという新たな問題が生じるようになる。
【０００７】
また、印刷された複数の小サイズの和紙を組み合わせて大サイズのものにする場合には、薄い和紙にインクジェット印刷を施すと図柄が伸縮する可能性があり、このような和紙を組み合わせて台紙に貼り付けたときに図柄がずれて、複製としての価値を損なうという問題が生じるようになる。
【０００８】
そこで、本発明は、以上の現状に鑑み、インクジェット印刷によって絵画や地図等の複製を作製するに際し、鮮明な図柄が得られると共に貼り付けた台紙に良好に同化し、また、複数の図柄を組み合わせて台紙に貼り付けても出来上がった図柄がずれることのないインクジェット印刷用紙及びそれを用いた複製の作製方法を提供することを課題とする。
【課題を解決するための手段】
【０００９】
上記課題を解決するため、本発明は次のように構成したことを特徴とする。
【００１０】
まず、請求項１に記載の発明は、インクジェット印刷によって印刷された状態で台紙に貼り付けられて用いられるインクジェット印刷用紙に関するもので、和紙または絵絹でなる被印刷材と裏打材とが水溶性接着剤を介して接合されていることを特徴とする。
【００１１】
次に、請求項２に記載の発明は、上記請求項１に記載のインクジェット印刷用紙において、被印刷材の表面に、インクジェット印刷用定着剤が塗布されていることを特徴とする。
【００１２】
また、請求項３に記載の発明は、上記請求項１または請求項２に記載のインクジェット印刷用紙において、裏打材はアルミニウム箔を有していることを特徴とする。
【００１３】
一方、請求項４に記載の発明は、上記請求項１から請求項３のいずれかに記載のインクジェット印刷用紙を用いた複製の作製方法に関するもので、上記用紙の被印刷材にインクジェット印刷によって図柄を印刷したのち、印刷された被印刷材側から水分を付与して水溶性接着剤を溶解することによって裏打材から該被印刷材を剥離し、剥離した該被印刷材を台紙に貼り付けることを特徴とする。
【００１４】
また、請求項５に記載の発明は、上記請求項４に記載の複製の作製方法において、印刷された被印刷材の表面に、耐水性コーティングを施すことを特徴とする。
【００１５】
そして、請求項６に記載の発明は、上記請求項４または請求項５に記載の複製の作製方法において、印刷された被印刷材の表面に、紫外線遮蔽コーティングを施すことを特徴とする。
【発明の効果】
【００１６】
まず、請求項１に記載の発明によれば、インクジェット印刷用紙を和紙または絵絹でなる被印刷材と裏打材とで構成するので、例えば裏打材にインクの浸透と図柄の伸縮とを阻止可能なものを用いることにより、厚みが薄い被印刷材にもインクジェット印刷によって鮮明な図柄を印刷することができ、かつ、印刷された図柄の伸縮が抑制される。
【００１７】
この場合、非印刷材の和紙としては、楮紙、雁皮紙、三椏紙等が好ましく適用される。また、絵絹の代わりに、絵絹の代用品となるポリエステル布等も好ましく適用される。一方、裏打材としては、金属箔、アート紙、合成樹脂製フィルム等が好ましく適用される。
【００１８】
その上で、被印刷材と裏打材とを水溶性接着剤を介して接合するので、水分を付与して固化した接着剤を溶解することにより、裏打材から被印刷材を容易に剥離することができる。したがって、印刷後に剥離した厚みの薄い被印刷材を該被印刷材と同様の素材でなる例えば古めかしい外観の台紙に貼り付けた場合に、被印刷材は台紙に良好に同化すると共に、台紙の折角の古めかしさが被印刷材によって覆い隠されて阻害されることはない。
【００１９】
そして、特に、印刷後に剥離した複数の被印刷材を組み合わせて台紙に貼り付けて大サイズのものにする場合に、各被印刷材同士も良好に同化して、出来上がったものが違和感を与えることはない。また、各被印刷材に印刷された図柄は伸縮が抑制されているので、組み合わせて台紙に貼り付けたときにも出来上がった図柄がずれることはない。
【００２０】
次に、請求項２に記載の発明によれば、被印刷材の表面にインクジェット印刷用定着剤を塗布したので、該被印刷材に一層鮮明な図柄をインクジェット印刷することができる。
【００２１】
また、請求項３に記載の発明によれば、裏打材はアルミニウム箔のように金属製のものを有しているので、印刷時におけるインクの浸透と図柄の伸縮とが確実に阻止される。
【００２２】
一方、請求項４に記載の発明によれば、前述した特徴を備えたインクジェット印刷用紙を用いることにより、印刷された用紙から剥離した被印刷材を台紙に貼り付けたとき、鮮明な図柄を維持しつつ被印刷材を台紙に同化させることができ、特に文化財等の古い地図や絵画等の現物に酷似した外観の複製が得られる。
【００２３】
そして、請求項５または請求項６に記載の発明によれば、印刷後の被印刷材の表面に耐水性コーティングや紫外線遮蔽コーティングを施すので、各コーティングの持つ機能が被印刷材に付与され、もって複製の負荷価値が向上する。
【発明を実施するための最良の形態】
【００２４】
本発明の実施の形態に係るインクジェット印刷用紙及びそれを用いた複製の作製方法について説明する。
【００２５】
図１に示すように、このインクジェット印刷用紙１は、インクが定着される被印刷材１１とインクの浸透及び図柄の伸縮を阻止する裏打材１２とを有し、両者は水溶性接着剤としてのでんぷん糊が固化してなる接着層１３を介して接合されている。
【００２６】
被印刷材１１は、比較的厚みの薄い楮紙製の和紙１１ａを有している。この場合、坪量２０ｇ／ｍ２の和紙１１ａが使用されている。そして、和紙１１ａの表面に、周知のインクジェット印刷用定着剤１１ｂが塗布されている。
【００２７】
裏打材１２は、アルミニウム箔１２ａと普通紙１２ｂとが積層された構成とされており、アルミニウム箔１２ａと上記和紙１１ａとが接合されている。この場合、アルミニウム箔１２ａには厚み７μｍ、一方、普通紙１２ｂには坪量２０ｇ／ｍ２のものが使用されている。なお、普通紙１２ｂは、厚みの薄いアルミニウム箔１２ａを補強する効果を備えている。
【００２８】
次に、このインクジェット印刷用紙１を用いた絵画や地図等の複製の作製方法の一例について説明する。
【００２９】
まず、図２に示すように、ここで使用するインクジェットプリンタＡは、主たる構成要素として、印刷用紙１の非印刷面である裏打材１２側を支持するプラテンＡ１と、該プラテンＡ１と印刷用紙１を挟んで対向すると共にガイドロッドＡ２を介して印刷用紙１の幅方向つまり矢印ａ方向に移動自在とされて、インクの吐出口を有するヘッドＡ３とを有している。印刷後の印刷用紙１は矢印ｂで示すように排出される。
【００３０】
そして、パソコンに取り込んだ画像データを図２に示したインクジェットプリンタＡに出力して、図３（ａ）に示すように、被印刷材１１と裏打材１２とを接着層１３を介して接合した構成のインクジェット印刷用紙１の被印刷材１１に、ヘッドＡ３から吐出されたインクを定着させる。
【００３１】
印刷が終了すると、図３（ｂ）に示すように、適宜の方法でアクリル樹脂と紫外線遮蔽樹脂とをエチルアルコールに溶解した溶液を被印刷材１１表面にコーティングしたのち乾燥させて、耐水性機能と紫外線遮蔽機能とを備えた保護層１４を形成させる。
【００３２】
次いで、図３（ｃ）に示すように、被印刷材１１側からから刷毛や霧吹き等によって水分を付与してでんぷん糊でなる接着層１３を溶解させることにより、図３（ｄ）に示すように、裏打材１２から被印刷材１１を剥離する。そして、図３（ｅ）に示すように、剥離された被印刷材１１をでんぷん糊を接着層１５として、古めかしい外観に調製された楮紙製の台紙２１に貼り付ける。
【００３３】
図４に、このような行程によって作製された複製２２を示している。この場合、古めかしさを現出させるためのしみや汚れ等を有した台紙２１に、６枚の被印刷材１１…１１が貼り付けられており、これらの被印刷材１１…１１に印刷されたそれぞれの図柄１１′…１１′が組み合わされて総合図柄１１″が構成されている。
【００３４】
以上のように構成したことにより、まず、図３（ａ）に示したように、インクジェット印刷用紙１を和紙１１ａでなる被印刷材１１と裏打材１２とで構成するので、例えば裏打材１２にインクの浸透と図柄の伸縮とを阻止可能なものを用いることにより、厚みが薄い和紙１１ａを有する被印刷材１１にもインクジェット印刷によって鮮明な図柄を印刷することができ、かつ、印刷された図柄の伸縮が抑制される。
【００３５】
その上で、被印刷材１１と裏打材１２とを水溶性接着剤としてのでんぷん糊でなる接着層１３を介して接合するので、図３（ｃ）に示したように、水分を付与して該接着層１３を構成する固化した接着剤を溶解することにより、図３（ｄ）に示したように、裏打材１２から被印刷材１１を容易に剥離することができる。したがって、図３（ｅ）に示したように、印刷後に剥離した厚みの薄い被印刷材１１を該被印刷材１１つまり和紙１１ａと同様の素材でなる例えば古めかしい台紙２１に貼り付けた場合に、図４に示すように、被印刷材１１は台紙２１に良好に同化して、矢印ｃ…ｃで示す被印刷材１１…１１と台紙２１との境界が違和感を与えることがなくなると共に、しみや汚れ等を有した台紙２１の折角の古めかしさが被印刷材１１によって覆い隠されて阻害されることはない。
【００３６】
そして、特に、印刷後に剥離した複数の被印刷材１１…１１を組み合わせて台紙２１に貼り付けて大サイズのものにする場合に、各被印刷材１１…１１同士も良好に同化して、出来上がったものが違和感を与えることはない。また、各被印刷材１１…１１に印刷された図柄１１′…１１′は伸縮が抑制されているので、組み合わせて台紙２１に貼り付けたときにも出来上がった総合図柄１１″がずれることはない。すなわち、このような特徴を備えたインクジェット印刷用紙１を用いることにより、特に文化財等の古い地図や絵画等の現物に酷似した外観の複製２２が得られることになる。
【００３７】
また、図３（ａ）に示すように、被印刷材１１の表面にインクジェット印刷用定着剤１１ｂを塗布したので、該被印刷材１１に一層鮮明な図柄をインクジェット印刷することができる。
【００３８】
さらに、図３（ａ）に示すように、裏打材１２はアルミニウム箔１２ａのように金属製のものを有しているので、印刷時に吐出されたインクの浸透と図柄の伸縮とが確実に阻止される。
【００３９】
そして、図３（ｂ）及び図３（ｅ）に示したように、印刷後の被印刷材１１の表面に耐水性コーティングと紫外線遮蔽コーティングとを施して保護層１４を形成させるので、各コーティングの持つ機能が被印刷材１１に付与され、もって複製２２の負荷価値が向上する。
【００４０】
なお、上記実施の形態では、被印刷材１１に薄い和紙１１ａを使用したが、これには前述した楮紙の他に雁皮紙、三椏紙等が好ましく適用される。また、和紙１１ａの他に薄い絵絹や絵絹の代用品となるポリエステル布等も好ましく適用される。
【００４１】
また、上記実施の形態では、裏打材１２にアルミニウム箔１２ａを使用したが、アルミニウム箔以外の金属箔であってもよく、さらにはアート紙や合成樹脂製フィルム等のインクの浸透及び図柄の伸縮を阻止可能なものが好ましく適用される。
【００４２】
また、上記実施の形態では、被印刷材１１と裏打材１２とを接合するためでんぷん糊を使用したが、その他に水溶性のアクリル樹脂系接着剤やゴム系接着剤等が好ましく適用される。
【００４３】
そして、上記実施の形態では、印刷後の被印刷材１１の表面に紫外線遮蔽機能と耐水性機能とを備えた保護層１４を形成させていたが、目的に応じていずれか一方の機能のみを備えたコーティングを施してもよい。
【産業上の利用可能性】
【００４４】
以上説明したように、本発明によれば、インクジェット印刷によって絵画や地図等の複製を作製するに際し、鮮明な図柄が得られると共に貼り付けた台紙に良好に同化し、また、複数の図柄を組み合わせて台紙に貼り付けても出来上がった図柄がずれることのないインクジェット印刷用紙及びそれを用いた複製の作製方法が提供される。すなわち、本発明は、絵画や地図等の複製を作製するためのインクジェット印刷用紙及びそれを用いた複製の作製方法に関し、印刷の技術分野に広く好適である。
【図面の簡単な説明】
【００４５】
【図１】本発明の実施の形態に係るインクジェット印刷用紙の構成を示す端面図であって、一部を拡大かつ破断して示す。
【図２】複製の作製に用いるインクジェットプリンタの模式的な要部斜視図である。
【図３】複製の作製工程の一例を説明するための幾分模式的な断面図であって、（ａ）は印刷している状態、（ｂ）は保護層を形成した状態、（ｃ）は水分を付与している状態、（ｄ）は裏打材から被印刷材を剥離した状態、そして、（ｅ）は剥離した被印刷材を台紙に貼り付けた状態を示す。
【図４】図３の工程によって得られた複製の正面図である。
【図５】従来のインクジェット印刷用紙を用いて複製を作製した場合の問題を説明するための複製の正面図である。
【符号の説明】
【００４６】
１        インクジェット印刷用紙
１１      被印刷材
１１ａ    和紙
１１ｂ    インクジェット印刷用定着剤
１２      裏打材
１２ａ    アルミニウム箔
１３      接着層
１４      保護層
２１      台紙
２２      複製
【図１】
2006026971.tif 000003
【図２】
2006026971.tif 000004
【図３】
2006026971.tif 000005
【図４】
2006026971.tif 000006
【図５】
2006026971.tif 000007